(57)【要約】【課題】色指定モードの初期設定を、ユーザが使用状況に応じて容易に設定変更することが可能な画像処理装置を提供すること。【解決手段】画像データをカラー画像として処理するカラーモードと、モノクロ画像として処理するモノクロモードのいずれかのモードで画像処理を行う機能を備えた画像処理装置であって、前記カラーモードと前記モノクロモードのうち、いずれのモードで画像処理を行うかを示す色指定モードの初期設定を設定変更可能とする。【選択図】      図１                                       
2005045636.tif 000002
【特許請求の範囲】
【請求項１】
画像データをカラー画像として処理するカラーモードと、モノクロ画像として処理するモノクロモードのいずれかのモードで画像処理を行う機能を備えた画像処理装置であって、前記カラーモードと前記モノクロモードのうち、いずれのモードで画像処理を行うかを示す色指定モードの初期設定を設定変更可能としたことを特徴とする画像処理装置。
【請求項２】
前記色指定モードを切替え可能な機能を複数備え、各機能毎に前記色指定モードの初期設定を設定変更可能としたことを特徴とする請求項１記載の画像処理装置。
【請求項３】
前記色指定モードを切替え可能な機能を複数備え、２以上の機能又は全ての機能について前記色指定モードの初期設定を一括して設定変更可能としたことを特徴とする請求項１記載の画像処理装置。
【発明の詳細な説明】
【技術分野】
【０００１】
本発明は、画像処理装置にコピー、ファクシミリ、コンピュータ用の画像データ読み取り等の各用途に応じて、読取った原稿の画像データの処理方法を設定変更可能とした画像処理装置に関する。
【背景技術】
【０００２】
コピー機能、ファクシミリ機能等を備え、コピー又はファクシミリ送信が終了した後に、一定時間ユーザによって操作がなされなかった場合に、デフォルトとして、コピー実行可能状態、又はファクシミリ送信実行可能状態のいずれかに戻る画像処理装置において、いずれの状態に戻るかを予めユーザが設定しておくことができる画像処理装置がある（例えば、特許文献１参照）。この画像処理装置によれば、例えば、コピー機能を頻繁に使用するユーザであれば、デフォルトとしてコピー機能を予め設定しておくことにより、コピーを行う場合には、コピー機能を実行可能な状態に切替えるための切替操作を行うことなくコピーを行うことができる。
【０００３】
このように、コピー機能やファクシミリ機能等の複数の機能を備える画像処理装置の中には、モノクロ画像のみならずカラー画像を処理することが可能なものもある。すなわち、原稿の画像をカラーコピー又はモノクロコピーし、カラー原稿又はモノクロ原稿をファクシミリ送受信する。この画像処理装置では、上記の機能のデフォルトと同様に、画像データをカラー画像として処理するカラーモード又はモノクロ画像として処理するモノクロモードのいずれかがデフォルトとして設定されており、例えば、コピー処理終了後、所定時間操作がなされなかった場合に、カラーモードに自動的に戻るようになっている。したがって、カラーコピーやカラー原稿のファクシミリ送信を頻繁に行うユーザによってはユーザが希望する色指定モードの切替操作を行う必要がないため、便利である。
【特許文献１】特開平１０−９３７４５号公報
【発明の開示】
【発明が解決しようとする課題】
【０００４】
しかしながら、このようにカラーモードが色指定モードのデフォルトとして設定されていると、モノクロコピーやモノクロ原稿のファクシミリ送信を行う場合には、ユーザは色指定モードをカラーモードからモノクロモードへ切替える操作を行わなければならず、モノクロモードを使用する頻度が多い場合には、ユーザにとってこの切替え操作は面倒である。また、この画像処理装置を複数のユーザが共有して使用する場合、カラーモード又はモノクロモードのどちらがデフォルトとして設定されている方が便利であるかは、各ユーザによって異なるため、あるユーザにとっては便利であるが、他のユーザにとっては不便であり、色指定モードを切替える操作を頻繁に行わなければならないという問題点があった。
【０００５】
本発明は、かかる問題に鑑みてなされたものであり、色指定モードの初期設定を、ユーザが使用状況に応じて容易に設定変更することが可能な画像処理装置を提供することを目的とする。
【課題を解決するための手段】
【０００６】
上記目的を達成するために、請求項１記載の画像処理装置は、画像データをカラー画像として処理するカラーモードと、モノクロ画像として処理するモノクロモードのいずれかのモードで画像処理を行う機能を備えた画像処理装置であって、前記カラーモードと前記モノクロモードのうち、いずれのモードで画像処理を行うかを示す色指定モードの初期設定を設定変更可能としたことを特徴としている。
【０００７】
請求項２記載の画像処理装置は、請求項１に記載の画像処理装置において、前記色指定モードを切替え可能な機能を複数備え、各機能毎に前記色指定モードの初期設定を設定変更可能としたことを特徴としている。
【０００８】
請求項３記載の画像処理装置は、請求項１に記載の画像処理装置において、前記色指定モードを切替え可能な機能を複数備え、２以上の機能又は全ての機能について前記色指定モードの初期設定を一括して設定変更可能としたことを特徴としている。
【発明の効果】
【０００９】
請求項１に記載の画像処理装置によれば、ユーザが使用する頻度の高い色指定モードを予め設定しておくことにより、ユーザの色指定モードの切替え操作の手間を低減することができる。
【００１０】
請求項２に記載の画像処理装置によれば、コピー機能、ファクシミリ機能、プリンタ機能、スキャナ機能等の各機能に対する色指定モードの使用状況に応じて各機能毎に色指定モードの初期設定を容易に設定変更することができる。
【００１１】
請求項３に記載の画像処理装置によれば、コピー機能、ファクシミリ機能、プリンタ機能、スキャナ機能のうち、２以上の機能、又は全ての機能に対して一括して色指定モードの初期設定を変更できるので、複数の機能に対して同じ色指定モードを初期設定として設定した場合に便利である。
【発明を実施するための最良の形態】
【００１２】
以下、本発明を実施するための最良の形態に係る画像処理装置１をコピー機能、ファクシミリ機能、（ネットワーク）スキャナ機能、及び（ネットワーク）プリンタ機能を備える複合機に適用した場合について図面に基づいて説明する。図１は、本発明を実施するための最良の形態に係る画像処理装置１の全体の構成を示すブロック図である。
【００１３】
まず、この図１に基づいて、画像処理装置１の全体の構成について説明する。この画像処理装置１は、制御部（ＭＰＵ：Microprocessing Unit）２、原稿読取部３、画像処理部４、画像メモリ５、コーデック（ＣＯＤＥＣ：Coder and Decoder）６、ＲＯＭ（Read Only Memory）７、記録部８、表示部９、操作部１０、ＲＡＭ（Random Access Memory）１１、通信部１２、及びＬＡＮ Ｉ／Ｆ１５を備えたものであって、各部２乃至１５は、バス１６によって通信可能に接続されている。
【００１４】
制御部２は、所定のプログラムに従ってこの画像処理装置１を構成する各部を制御するものである。原稿読取部３は、コピー、ファクシミリ送信、又はコンピュータ（クライアントＰＣ３２）３用の画像データの読み取りを行うために、原稿の画像を走査して画像データとして読み取るための部分である。この原稿読取部３は、自動原稿給送部（ＡＤＦ：Automatic Document Feeder）及びフラットベッド読取部（ＦＢＳ：Flat Bed Scanner）を備えており、カラーＣＣＤ（Charge Coupled Device）により原稿の画像を読取り、読取った画像データを所定の出力先に出力する。
【００１５】
画像処理部４は、原稿読取部３で読取られた画像データやクライアントＰＣ３２から受信した画像データに対してフルカラー画像処理、３色カラー画像処理、２色カラー画像処理、単色カラー画像処理、及びモノクロ画像処理のいずれかの画像処理を施すものである。ここで、フルカラー画像処理は、具体的には、原稿読取部３で読取られた原稿のＲＧＢ表色系（RGB color system）のアナログ画像データをデジタル画像データに変換し、シューディング補正、ずれ／ライン補正の入力補正を行った後、Ｌ*ａ*ｂ*表色系の画像データへと変換し、明るさや色相の微調整等の色調整を行う。そして、Ｌ*ａ*ｂ*表色系の画像データをＣ（シアン）、Ｍ（マゼンタ）、Ｙ（イエロー）、Ｋ（ブラック）の出力表色系の各色彩データへと変換し、誤差拡散処理等を施して二値化する処理である。なお、ＲＧＢ表色系の画像データから直接ＣＭＹＫの色彩データへと変換したり、上記の画像処理において、Ｌ*ａ*ｂ*表色系の代わりにYCrCb表色系の画像データへと変換した後、ＣＭＹＫの出力表色系の色彩データへと変換するようにしてもよい。このフルカラー画像処理は、コピー機能により読取った原稿のフルカラー画像を用紙上に記録したり、ファクシミリ機能によりフルカラー原稿をファクシミリ送信したり、スキャナ機能により読取った原稿のフルカラー画像データをクライアントＰＣ３２へ出力するための画像処理であるが、プリンタ機能によりクライアントＰＣ３２から受信した所定の表色系のフルカラー画像データに対しはＣＭＹＫの出力表色系の各色彩データに変換する処理が施される。なお、３色カラー画像処理、２色カラー画像処理、単色カラー画像処理は、例えば、コピー機能であればそれぞれユーザによって指定された３色、２色、又は１色で原稿の画像データの画像を用紙に記録するための画像処理であり、上記のフルカラー画像処理において、ずれ／ライン補正が行われた後に、画像データの色をユーザが指定する色に置き換える色置き換えの処理が施される。
【００１６】
一方、モノクロ画像処理は、原稿読取部３で読取られた原稿の画像データを、コピー機能によりモノクロ画像として用紙に記録したり、ファクシミリ機能によりモノクロ原稿としてファクシミリ送信したり、スキャナ機能によりモノクロ画像データとしてクライアントＰＣ３２に出力したりするために画像データに対して行われる画像処理である。このモノクロ画像処理では、上記の画像処理のＬ*ａ*ｂ*表色系の画像データをＣＭＹＫの出力表色系の各色彩データへと変換する処理において、Ｋ色の色彩データのみを生成する処理が行われる。なお、読取った原稿のＲＧＢ表色系の画像データのうち、例えばＧ成分のみを用いてＫ色の色彩データを生成するようにしてもよい。
【００１７】
画像メモリ５は、原稿読取部３において読み取られた後、画像処理部４において画像処理が施された原稿の画像データや、ファクシミリ受信した画像データ等を一時的に格納しておくためのメモリである。コーデック６は、画像データを所定のプロトコルに対応して符号化（エンコード）・復号（デコード）するものである。すなわち、画像データを送信などのためにＭＨ（Modified Huffman）、ＭＲ（Modified Read）、ＭＭＲ（Modified Modified Read）、ＪＰＥＧ（Joint Photographic Experts Group）方式等により符号化し、符号化されている画像データを用紙に記録するために復号するものである。
【００１８】
ＲＯＭ７は、制御部２によりこの画像処理装置１の各部の動作が制御されるための各種プログラムを記憶している。このＲＯＭ７に記憶されているプログラムは、具体的には、画像データに対して、フルカラー画像処理、３色カラー画像処理、２色カラー画像処理、単色カラー画像処理、モノクロ画像処理のいずれかの画像処理を施すための画像処理プログラム等である。
【００１９】
記録部８は、原稿読取部３において読み取られ、ファクシミリ受信し、又はクライアントＰＣ３２から受信した画像データの画像を用紙に記録するための部分である。この記録部８における記録方式としては、例えば、電子写真方式を用いることができ、ＣＭＹＫの４色のトナーによって画像データの画像を用紙に記録する。
【００２０】
表示部９は、図２に示すように、各種の設定状態や装置１の動作状態などを文字や図形などで表示する液晶表示装置９ａや、点灯又は消灯で表示するＬＥＤランプ９ｂなどを備えている。操作部１０は、原稿読取部３のＡＤＦの原稿台上又はＦＢＳの透明な原稿載置板上に載置された原稿の読取開始を指示するためのスタートキー２１、コピー部数やファクシミリ番号等を入力するためのテンキー２２、コピー機能を選択するためのコピー選択キー２３、ファクシミリ機能を選択するためのファクシミリ選択キー２４、スキャナ機能を選択するためのスキャナ選択キー２５、液晶表示装置９ａに表示される項目やソフトキーを選択するための操作キー２６乃至２８、操作を中止する、又は設定を取り消して初期値にするためのリセットキー２９など、表示部９と連動した各種操作キーを備えている。
【００２１】
ＲＡＭ１１は、画像処理装置１の動作処理に用いる設定情報や動作情報等の各種データを読出し及び書込み可能な状態で格納している。また、ＲＡＭ１１には設定格納テーブル１１ａが設けられている。この設定格納テーブル１１ａは、色指定モードの初期設定を格納するためのテーブル形式の記憶領域であり、図２に示すように、コピー機能、ファクシミリ機能、スキャナ機能、プリンタ機能の各機能毎にフルカラーモード、３色カラーモード、２色カラーモード、単色カラーモード、又はモノクロモードのいずれかが格納されるようになっている。ここで、色指定モードの初期設定は、画像処理装置１における各種動作処理が終了した後に、所定時間以上、操作部１０から各種指示入力がなされなかった場合、クライアントＰＣ３２からプリント指示命令を受信しなかった場合、又は操作部１０からリセット操作がなされた場合に戻る色指定モードであり、後述するように操作部１０から設定することができる。
【００２２】
また、ＲＡＭ１１には、画像処理装置１における現在の色指定モード１１ｂが格納されている。この色指定モード１１ｂは、画像処理部４において画像データに対して行われる画像処理を示したものであり、コピー機能、ファクシミリ機能、スキャナ機能、プリンタ機能の各機能毎に、カラーモードとモノクロモードのいずれかが格納されるようになっている。ここで、カラーモードは、フルカラーモード、３色カラーモード、２色カラーモード、又は単色カラーモードである。例えば、コピー機能に対する色指定モード１１ｂがモノクロモードである場合、原稿読取部３で読取られた原稿の画像データに対して、画像処理部４でモノクロ画像処理が施され、記録部８においてモノクロ画像として用紙に記録される。なお、この色指定モード１１ｂに関する情報は、表示部９の液晶表示装置９ａに表示されるようになっており、ユーザは液晶表示装置９ａに表示された現在の色指定モード１１ｂを見て、操作部１０から所定操作を行うことにより、色指定モード１１ｂを切替えることができる。具体的には、コピー機能に対する色指定モード１１ｂがフルカラーモードである場合に、ユーザによって操作部１０からモノクロモードに切替えるための所定操作が行われると、制御部２は、色指定モード１１ｂをモノクロモードに更新する。ここで、操作部１０からコピー開始命令の指示入力があると、原稿読取部３で読取られた原稿の画像はモノクロコピーされる。
【００２３】
また、色指定モード１１ｂは、画像処理装置１における各種動作処理が終了した後に、所定時間以上、操作部１０から各種指示入力がなかった場合、クライアントＰＣ３２からプリント指示命令を受信しなかった場合、又は操作部１０のリセットキー２９によるリセット操作が行われた場合に、設定格納テーブル１１ａに格納されている色指定モードの初期設定に基づいて制御部２により自動的に更新される。具体的には、図３に示すようにコピー機能に対する色指定モードの初期設定がモノクロモードに設定されている場合、色指定モード１１ｂがフルカラーモードに切替えられてフルカラーコピーが行われた後、所定時間が経過すると、制御部２は、設定格納テーブル１１ａからコピー機能に対する色指定モードの初期設定、ここではモノクロモードを読出し、コピー機能に対する色指定モード１１ｂをモノクロモードに更新する。したがって、ユーザが次に行うコピーがモノクロコピーであれば、色指定モード１１ｂを切替えるための切替操作を行うことなくコピーを行うことができる。
【００２４】
通信部１２は、モデム１３及びＮＣＵ（Network Control Unit）１４を備えている。モデム１３は、例えばＩＴＵ−Ｔ（国際電気通信連合電気通信標準化部門）の勧告Ｖ．３４規格又はこれと同様のものに従った送受信データの変調及び復調を行うものである。ＮＣＵ１４は、電話回線を制御して電話をかけたり、切ったりする回線網制御装置であり、ＰＳＴＮ（Public Switched Telephone Network）１７に接続されている。ＬＡＮ Ｉ／Ｆ１５は、画像処理装置１をＬＡＮ（Local Area Network）３１に接続するためのインターフェースであって、画像処理装置１をクライアントＰＣ３２用のスキャナ又はプリンタとして用いる際に、ＬＡＮ３１を介して画像処理装置１とクライアントＰＣ３２との接続を行う。
【００２５】
複合機として上記構成を備えた画像処理装置１によれば、コピー機能によって原稿読取部３で読み取った原稿の画像データを用紙に記録することができるほか、ファクシミリ機能によって他のＧ３ファクシミリ装置（不図示）とファクシミリ送受信し、スキャナ機能によって原稿読取部３で読取った原稿の画像データをクライアントＰＣ３２に出力し、プリント機能によってクライアントＰＣ３２から受信した画像データを用紙に記録することができるようになっている。なお、画像処理装置１は、カラー画像データ及びモノクロ画像データを処理することができ、例えばコピー機能であれば、フルカラーコピー、３色カラーコピー、２色カラーコピー、単色カラーコピー、及びモノクロコピーを行うことが可能である。
【００２６】
以下、画像処理装置１におけるコピー機能、ファクシミリ機能、スキャナ機能、プリンタ機能の各機能に対する色指定モードの初期設定の設定変更の方法について説明する。操作部１０から設定格納テーブル１１ａに格納されている色指定モードの初期設定を設定変更する旨の命令が入力された場合、制御部２は、まず図４に示すように、色指定モード初期設定変更画面３５を液晶表示装置９ａに表示させる。この色指定モード初期設定変更画面３５は、ここでは、色指定モードの初期設定の変更方法の選択を促すメッセージ、選択可能な変更方法の一覧、変更方法を選択するための入力キーを示す変更方法選択ボタン３６、選択された変更方法を決定するための入力キーを示すセットボタン３７等を含む情報が表示される。
【００２７】
そして、この色指定モード初期設定変更画面３５において、変更方法選択ボタン３６に対応する操作キー２７により個別変更が選択され、セットボタン３７に対応する操作キー２８が操作された場合には、制御部２は、機能選択画面３８を液晶表示装置９ａに表示させる。この機能選択画面３８には、ここでは、色指定モードの初期設定を変更する機能の選択を促すメッセージ、選択可能な機能、機能を選択するための入力キーを示す機能選択ボタン３９、選択された機能を決定するための入力キーを示すセットボタン４０等を含む情報が表示される。
【００２８】
ここで、機能選択ボタン３９に対応する操作キー２７によって選択可能な機能のうち、いずれかの機能が選択され、セットボタン４０に対応する操作キー２８が操作された場合には、色指定モード選択画面４１を表示する。この色指定モード選択画面４１には、ここでは色指定モードの選択を促すメッセージ、選択可能な色指定モード、色指定モードを選択するための入力キーを示すモード選択ボタン４２、選択された色指定モードを決定するための入力キーを示すセットボタン４３等を含む情報が表示される。そして、この色指定モード選択画面４１において、モード選択ボタン４２に対応する操作キー２７が操作されていずれかの色指定モードが選択され、セットボタン４３に対応するの操作キー２８が操作された場合には、制御部２は、設定格納テーブル１１ａに格納されている色指定モードの初期設定を更新する。具体的には、機能選択画面３８において、コピー機能が選択され、色指定モード選択画面４１においてフルカラーモードが選択された場合には、設定格納テーブル１１ａのコピー機能に対する色指定モードの初期設定をフルカラーモードに更新する。ユーザは、機能選択画面３８において色指定モードの初期設定を変更したい機能を選択し、色指定モード選択画面４１において変更したい色指定モードを選択することにより、各機能毎に色指定モードの初期設定を変更することができる。
【００２９】
一方、色指定モード初期設定変更画面３５において、変更方法選択ボタン３６に対応する操作キー２７により複数機能一括変更が選択され、セットボタン３７に対応する操作キー２８が操作された場合には、制御部２は、機能選択画面４４を液晶表示装置９ａに表示させる。この機能選択画面４４には、ここでは、色指定モードの初期設定を変更する機能の選択を促すメッセージ、選択可能な機能、機能を選択するための入力キーを示す機能選択ボタン４５、複数機能を選択するための入力キーを示す追加選択ボタン４６、選択された複数の機能を決定するための入力キーを示すセットボタン４７等を含む情報が表示される。そして、ここで機能選択ボタン４５に対応する操作キー２６によって選択可能な機能のうちいずれかの機能が選択され、追加選択ボタン４６に対応する操作キー２７が操作されると、まず一つ目の機能が決定される。さらに、操作キー２６によって残りの選択可能な機能のうちいずれかの機能が選択され、セットボタン４７に対応する操作キー２８が操作されると、２つの機能が選択される。なお、ここで選択される機能は、２つに限定されるものではなく、操作キー２６及び２７の操作により、３つ以上の機能を選択することも当然可能である。
【００３０】
そして、操作キー２８が操作されて複数の機能が選択されると、制御部２は、色指定モード選択画面４８を液晶表示装置９ａに表示させる。この色指定モード選択画面４８には、ここでは色指定モードの選択を促すメッセージ、選択可能な色指定モード、色指定モードを選択するための入力キーを示すモード選択ボタン４９、選択された色指定モードを決定するための入力キーを示すセットボタン５０等を含む情報が表示される。この色指定モード選択画面４８において、モード選択ボタン４９に対応する操作キー２７が操作されていずれかの色指定モードが選択され、セットボタン５０に対応するの操作キー２８が操作された場合には、制御部２は、機能選択画面４４において選択された複数の機能に対して、設定格納テーブル１１ａに格納されている色指定モードの初期設定を更新する。具体的には、機能選択画面４４において、コピー機能及びプリンタ機能が選択され、色指定モード選択画面４８において２色カラーが選択された場合には、制御部２は、設定格納テーブル１１ａのコピー機能及びプリンタ機能に対応する色指定モードの初期設定を２色カラーモードに更新する。したがって、ユーザは、機能選択画面４４において色指定モードの初期設定を変更したい複数の機能を選択し、色指定モード選択画面４８において変更したい色指定モードを選択することにより、複数の機能に対して一括して色指定モードの初期設定を変更することができる。
【００３１】
なお、色指定モード初期設定変更画面３５において変更方法選択ボタン３６に対応する操作キー２７により全機能一括変更が選択され、セットボタン３７に対応する操作キー２８が操作された場合には、制御部２は、色指定モード選択画面５１を液晶表示装置９ａに表示させる。この色指定モード選択画面５１には、ここでは色指定モードの選択を促すメッセージ、選択可能な色指定モード、色指定モードを選択するための入力キーを示すモード選択ボタン５２、選択された色指定モードを決定するための入力キーを示すセットボタン５３等を含む情報が表示される。この色指定モード選択画面５１において、モード選択ボタン５２に対応する操作キー２７が操作されていずれかの色指定モードが選択され、セットボタン５３に対応するの操作キー２８が操作された場合には、制御部２は、設定格納テーブル１１ａに格納されている全機能に対する色指定モードの初期設定を一括して更新する。具体的には、フルカラーが選択された場合には、制御部２は、設定格納テーブル１１ａのコピー機能、ファクシミリ機能、スキャナ機能、及びプリンタ機能に対する色指定モードの初期設定を全てフルカラーモードに更新する。したがって、ユーザは、全ての機能に対する色指定モードの初期設定を一括して同じモードに設定することができる。
【００３２】
以上説明したように、ユーザは液晶表示装置９ａに表示されるこれらの画面に従って、容易に色指定モードの初期設定を変更することができる。以下、画像処理装置１において、原稿読取部３で読取った原稿の画像をコピーする際に行われる動作処理について、図５及び図６に示すフローチャートに基づいて説明する。まず、制御部２は、操作部１０の備える各種操作キーが操作されたか否かに基づいて、操作部１０から指示入力があったか否かを判断する（Ｓ１）。操作部１０から指示入力があったと判断した場合（Ｓ１：ＹＥＳ）、ＲＡＭ１１に格納されているコピー機能に対する色指定モード１１ｂを読出し、例えば、液晶表示装置９ａに表示されるコピー画面において、「モノクロ」等の文字を表示させることにより、現在の画像処理装置１のコピー機能に対する色指定モード１１ｂをユーザに報知する（Ｓ２）。続いて、操作部１０からの所定操作により、色指定モード１１ｂの切替操作がなされたか否かを判断する（Ｓ３）。
【００３３】
制御部２は、色指定モード１１ｂの切替操作がなされなかったと判断した場合（Ｓ３：ＮＯ）、操作部１０のスタートキー２１が押下されたか否かに基づいて、原稿の読取り開始命令があったか否かを判断する（Ｓ４）。そして、原稿の読取り開始命令があったと判断した場合には（Ｓ４：ＹＥＳ）、原稿読取部３に載置された原稿の画像読取りを開始し（Ｓ５）、読取った原稿の画像データに対し、画像処理部４において予め設定されている色指定モード、ここでは、前記Ｓ２で読み出した色指定モード１１ｂで画像処理を施す（Ｓ６）。ここで画像データに対して施される画像処理は、フルカラー画像処理、３色カラー画像処理、２色カラー画像処理、単色カラー画像処理、又はモノクロ画像処理のいずれかであり、例えば色指定モード１１ｂが２色カラーモードに設定されていれば、画像処理部４において、画像データに対し２色カラー画像処理が施され、モノクロモードに設定されていれば、モノクロ画像処理が施される。そして、画像処理部４において画像処理が施された画像データの画像は、記録部８において所定の用紙上に記録される（Ｓ７）。
【００３４】
このようにして、記録部８で画像データの画像が記録された記録紙が排出トレイ（不図示）に排出されると、制御部２は操作部１０から指示入力があったか否かを判断する（Ｓ８）。そして、操作部１０から何らかの指示入力があったと判断した場合には（Ｓ８：ＹＥＳ）、前記Ｓ２以降の処理を行う。一方、操作部１０からの指示入力がなく（Ｓ８：ＮＯ）、予め設定されている所定時間が経過した場合（Ｓ９：ＹＥＳ）、現在の色指定モード１１ｂを保持し、処理を完了する（Ｓ１０）。
【００３５】
前記Ｓ３において、制御部２は、色指定モード１１ｂの切替操作がなされたと判断した場合（Ｓ３：ＹＥＳ）、ユーザによって選択された色指定モード１１ｂを報知する（Ｓ１１）。具体的には、操作部１０からの所定操作により色指定モード１１ｂがモノクロモードからフルカラーモードに切替えられた場合、液晶表示装置９ａに表示されているコピー画面において、「フルカラー」等の文字を表示することにより、現在の色指定モード１１ｂがフルカラーモードである旨の情報を報知する。そして、操作部１０のスタートキー２１が押下されたか否かにより、原稿の読取り開始命令があったか否かを判断する（Ｓ１２）。そして、原稿の読取り開始命令があったと判断した場合には（Ｓ１２：ＹＥＳ）、原稿読取部３に載置されている原稿の画像読取りを開始し（Ｓ１３）、読取った原稿の画像データを画像処理部４において、前記Ｓ３においてユーザによって切替えられた色指定モード１１ｂで画像処理を施す（Ｓ１４）。ここで画像データに対して施される画像処理は、フルカラー画像処理、３色カラー画像処理、２色カラー画像処理、単色カラー画像処理、又はモノクロ画像処理のいずれかであり、例えば、色指定モード１１ｂがモノクロモードからフルカラーモードに切替えられた場合には、画像処理部４において画像データに対しフルカラー画像処理が施される。そして、画像処理部４において画像処理が施された画像データの画像は、記録部８において所定の用紙上に記録される（Ｓ１５）。
【００３６】
このようにして、記録部８で画像データの画像が記録された記録紙が排出トレイに排出されると、制御部２は、操作部１０から指示入力があったか否かを判断する（ＳＳ１６）。そして、操作部１０から何らかの指示入力があったと判断した場合には（Ｓ１６：ＹＥＳ）、前記Ｓ１１以降の処理を行う。一方、操作部１０からの指示入力がなく（Ｓ１６：ＮＯ）、予め設定されている所定時間が経過した場合（Ｓ１７：ＹＥＳ）、制御部２は、色指定モード１１ｂを予め設定されている色指定モードの初期設定に戻す（Ｓ１８）。具体的には、設定格納テーブル１１ａのコピー機能に対する色指定モードの初期設定を読出し、前記Ｓ３においてユーザによって切替えられた色指定モード１１ｂを設定格納テーブル１１ａから読み出した色指定モードに更新する。
【００３７】
以上説明したように、コピー処理が完了した後に、所定時間の間、操作部１０からの指示入力がなかった場合には、色指定モード１１ｂは、予めユーザによって設定され設定格納テーブル１１ａに格納されている色指定モードに自動的に戻る。したがって、例えばコピー機能において、モノクロコピーを頻繁に使用する場合には、図４に基づいて説明したように、コピー機能に対する色指定モードの初期設定をモノクロモードに設定しておくことにより、色指定モード１１ｂを切替えるための切替操作を行う手間を低減することができる。また、色指定モード１１ｂを設定格納テーブル１１ａに格納されている色指定モードの初期設定に基づいて更新する処理は、操作部１０のリセットキー２９が押下された時にも行われる。したがって、予め設定格納テーブル１１ａに色指定モードの初期設定としてモノクロモードが格納されている場合、ユーザは、色指定モード１１ｂの切替操作の代わりにリセットキー２９を押下するだけで容易に色指定モード１１ｂを切替えることができる。
【００３８】
なお、図５及び図６に示したフローチャートに基づいて行われる動作処理は、コピー機能に対して行われるものであるが、ファクシミリ機能、スキャナ機能に対しても同様であり、前記Ｓ７又は前記Ｓ１５の処理がそれぞれ異なるだけである。以下、プリンタ機能によりクライアントＰＣ３２から受信した画像データを用紙に記録する際に、画像処理装置１において行われる動作処理について、図７に示すフローチャートに基づいて説明する。
【００３９】
制御部２は、ＬＡＮ３１を介してクライアントＰＣ３２から用紙に記録すべき画像データを受信したか否かを判断し（Ｓ２１）、受信したと判断した場合には（Ｓ２１：ＹＥＳ）、画像データとともに受信した印刷条件に関する情報に色指定モード１１ｂの切替命令が含まれているか否かを判断する（Ｓ２２）。そして、色指定モード１１ｂの切替命令が含まれていないと判断した場合には（Ｓ２２：ＮＯ）、受信した画像データに対し予め設定されている色指定モード１１ｂで画像処理を施す（Ｓ２３）。そして、その画像データの画像を記録部８において所定の用紙に記録する（Ｓ２４）。
【００４０】
一方、前記Ｓ２２において、画像データとともに受信した印刷条件に関する情報に色指定モード１１ｂの切替命令が含まれていると判断した場合には（Ｓ２２：ＹＥＳ）、制御部２は、色指定モード１１ｂを前記切替命令によって指定された色指定モードに更新し、受信した画像データに対し、その指定された色指定モードで画像処理を施す（Ｓ２５）。そして、その画像データの画像を記録部８において所定の用紙に記録する（Ｓ２６）。前記Ｓ２４又はＳ２６の処理が完了して記録紙が排出トレイ上に排出されると、制御部２は、用紙に記録すべき新たな画像データを受信したか否かを判断し（Ｓ２７）、受信したと判断した場合には（Ｓ２７：ＹＥＳ）、前記Ｓ２２以降の動作処理を行う。
【００４１】
一方、新たな画像データを受信することなく（Ｓ２７：ＮＯ）、所定時間が経過した場合には（Ｓ２８：ＹＥＳ）、制御部２は、色指定モード１１ｂを予め設定されている初期設定に戻す（Ｓ２９）。具体的には、設定格納テーブル１１ａを参照してプリンタ機能に対する色指定モードの初期設定を読出し、色指定モード１１ｂを設定格納テーブル１１ａから読み出した色指定モードに更新する。
【００４２】
なお、クライアントＰＣ３２の備えるディスプレイに表示されるプリント画面では、画像処理装置１の現在の色指定モード１１ｂを示す情報が表示されるようになっており、ユーザはその情報に基づいて色指定モード１１ｂを切替えるか否かを判断し、切替えが必要と判断した場合には、クライアントＰＣ３２の備えるマウスやキーボードから、所定の切替操作を行う。したがって、画像処理装置１における設定格納テーブル１１ａのプリント機能に対する色指定モードの初期設定を、ユーザが頻繁に使用する色指定モードに設定しておくことにより、プリント画面に表示された色指定モードを切替えるための切替操作の手間を低減することができる。
【産業上の利用可能性】
【００４３】
カラーやモノクロなど、色指定モードを切替えて画像処理を行うことができる各種画像処理装置に適用することができる。
【図面の簡単な説明】
【００４４】
【図１】発明を実施するための最良の形態に係る画像処理装置の構成をを示したブロック図である。
【図２】表示部及び操作部の各種操作キーを示した図である。
【図３】色指定モードの初期設定が格納されている設定格納テーブルを示した図である。
【図４】ユーザが、色指定モードの初期設定を変更する際に、液晶表示装置に表示される設定変更のための画面を示した図である。
【図５】原稿の画像を用紙に記録する際に、画像処理装置において行われる動作処理を示したフローチャートである。
【図６】原稿の画像を用紙に記録する際に、画像処理装置において行われる動作処理を示したフローチャートである。
【図７】クライアントＰＣから受信した画像データを用紙に記録する際に、画像処理装置において行われる動作処理を示した図である。
【符号の説明】
【００４５】
１    画像処理装置
２    制御部
３    原稿読取部
４    画像処理部
６    コーデック
７    ＲＯＭ
８    記録部
９ａ    液晶表示装置
１０    操作部
１１    ＲＡＭ
１１ａ    設定格納テーブル
１１ｂ    色指定モード
１２    通信部
１５    ＬＡＮ Ｉ／Ｆ
３１    ＬＡＮ
３２    クライアントＰＣ
【図１】
2005045636.tif 000003
【図２】
2005045636.tif 000004
【図３】
2005045636.tif 000005
【図４】
2005045636.tif 000006
【図５】
2005045636.tif 000007
【図６】
2005045636.tif 000008
【図７】
2005045636.tif 000009